(57)【要約】  本発明は、電磁波を少なくとも部分的に吸収する紡織繊維表層に関する。この紡織繊維表層は、少なくとも第１及び第２のタイプの、糸又は繊維のような、紡織繊維要素を含む。第１及び第２のタイプの紡織繊維要素は、導電特性を有する。第１のタイプの各紡織繊維要素は、第１の金属で覆われた合成材料を含む。第２のタイプの紡織繊維要素は、第２の金属でできている。本発明はまた、少なくとも２つの紡織繊維表層を含む紡織繊維材料、及び、紡織繊維表層又は紡織繊維材料を含む保護器具に関する。
2014501044.tif 000002
【特許請求の範囲】
【請求項１】
電磁波を少なくとも部分的に吸収する紡織繊維表層において、
この紡織繊維表層は、少なくとも第１及び第２のタイプの、糸又は繊維のような、紡織繊維要素を含み、
前記第１及び第２のタイプの前記紡織繊維要素は、導電特性を有し、
前記第１のタイプの各紡織繊維要素は、第１の金属で覆われた合成材料のコアを含み、
前記第２のタイプの前記紡織繊維要素は、第２の金属でできていることを特徴とする紡織繊維表層。
【請求項２】
前記第１の金属は、銀であることを特徴とする請求項１の紡織繊維表層。
【請求項３】
前記第１のタイプの前記紡織繊維要素の前記コアは、ポリアミドタイプのポリマでできていることを特徴とする請求項１又は２の紡織繊維表層。
【請求項４】
前記第２の金属は、鋼又は合金鋼であることを特徴とする請求項１ないし３のいずれか１の紡織繊維表層。
【請求項５】
ポリエステルのような、電気絶縁材料でできた、第３のタイプの紡織繊維要素を含むことを特徴とする請求項１ないし４のいずれか１の紡織繊維表層。
【請求項６】
前記第３のタイプの少なくとも１つの紡織繊維要素を、前記第１のタイプ又は前記第２のタイプの少なくとも１つの紡織繊維要素と撚る、又は前記第１のタイプ又は前記第２のタイプの少なくとも１つの紡織繊維要素で覆うことによって得られた、ストランド又は糸を含むことを特徴とする請求項５の紡織繊維表層。
【請求項７】
製織によって得られることを特徴とする請求項１ないし６のいずれか１の紡織繊維表層。
【請求項８】
前記第１のタイプ又は第２のタイプの紡織繊維要素を含む横糸（１４）を有し、
この紡織繊維表層は、前記第１のタイプ及び第２のタイプの前記紡織繊維要素の間に、異なるタイプの紡織繊維要素を含む縦糸（１５）を有することを特徴とする請求項７の紡織繊維表層。
【請求項９】
この紡織繊維表層は、それぞれ、前記横糸（１４）又は縦糸（１５）に関して、銀で覆われたポリアミドの糸で形成され、前記縦糸（１５）又は横糸（１４）に関して、ステンレス鋼／ポリエステルの糸で形成されていることを特徴とする請求項８の紡織繊維表層。
【請求項１０】
各々が請求項１ないし９のいずれか１の紡織繊維表層でできた少なくとも２つの層を含む、電磁波を少なくとも部分的に吸収する紡織繊維材料（１２）。
【請求項１１】
携帯電話（２）を収容するように設計されたハウジング（７）と、
ユーザの頭と携帯電話（２）との間に挿入されるように設計された少なくとも１つの保護領域（１３）とを具備する、携帯電話（２）を収容するように設計された、電磁波に対する保護器具（１）において、
前記保護領域（１３）は、請求項１ないし９のいずれか１の紡織繊維表層、又は、請求項１０の紡織繊維材料（１２）を含むことを特徴とする保護器具（１）。
【請求項１２】
この器具は、前記保護領域（１３）を含むフラップ（５）を有し、
前記フラップ（５）は、前記ハウジング（７）に収容された携帯電話（２）から離された位置となるように設計された開位置と、前記フラップ（５）が携帯電話の近くに位置されるように設計された閉位置との間で動かされることができることを特徴とする請求項１１の保護器具（１）。
【請求項１３】
前記フラップ（５）は、少なくとも、
請求項１ないし９のいずれか１の紡織繊維表層、又は請求項１０の紡織繊維材料（１２）でできた、前記保護領域（１３）を形成している第１の層（３７）と、
外面を形成している第２の層（３５）と、のスタックによりできており、
前記第２の層（３５）は、少なくとも１つの第１のオリフィス（４０）を有し、前記少なくとも１つの第１のオリフィス（４０）は、前記フラップ（５）が前記閉位置にあるとき、各第１のオリフィス（４０）が携帯電話（２）のマイクロフォンに面してその中心に位置されるように配置されていることを特徴とする請求項１２の保護器具（１）。
【請求項１４】
前記外面を形成している前記第２の層（３５）は、少なくとも１つの第２のオリフィス（４１）を有し、前記少なくとも１つの第２のオリフィス（４１）は、前記フラップ（５）が前記閉位置にあるとき、各第２のオリフィス（４１）が携帯電話（２）のスピーカに面してその中心に位置されるように配置されていることを特徴とする請求項１３の保護器具（１）。
【請求項１５】
前記第２の層（３５）は、革又はプラスチックでできていることを特徴とする請求項１３又は１４の保護器具（１）。
【請求項１６】
前記スタックはまた、内面を形成している第３の層（３９）を有し、
前記第３の層（３９）は、少なくとも１つの第１のオリフィス（４０）と、好ましくは、少なくとも１つの第２のオリフィス（４１）とを有し、これらオリフィスは、前記フラップ（５）が前記閉位置にあるとき、各第１のオリフィス（４０）が、携帯電話（２）のマイクロフォンに面してその中心に位置され、かつ、各第２のオリフィス（４１）が、携帯電話（２）のスピーカに面してその中心に位置されるように配置されていることを特徴とする請求項１３ないし１５のいずれか１の保護器具（１）。
【請求項１７】
前記第３の層（３９）は、スエードクロスでできていることを特徴とする請求項１６の保護器具（１）。
【請求項１８】
前記スタックはまた、前記第２の層（３５）と前記第３の層（３９）との間に位置された、第４の、補強層（３６）を有し、
前記第４の層（３６）は、少なくとも１つの第１のオリフィス（４０）と、好ましくは、少なくとも１つの第２のオリフィス（４１）とを有し、これらオリフィスは、前記フラップ（５）が前記閉位置にあるとき、各第１のオリフィス（４０）が、携帯電話（２）のマイクロフォンに面してその中心に位置され、各第２のオリフィス（４１）が、携帯電話（２）のスピーカに面してその中心に位置されるように配置されていることを特徴とする請求項１３ないし１７のいずれか１の保護器具（１）。
【請求項１９】
前記第４の層（３６）は、プレキシガラスでできていることを特徴とする請求項１８の保護器具（１）。
【請求項２０】
前記スタックは、ボール紙でできた第５の層（３８）を有し、
前記第５の層（３８）は、少なくとも１つの第１のオリフィス（４０）と、好ましくは、少なくとも１つの第２のオリフィス（４１）とを有し、これらオリフィスは、前記フラップ（５）が前記閉位置にあるとき、各第１のオリフィス（４０）が、携帯電話（２）のマイクロフォンに面してその中心に位置され、かつ、各第２のオリフィス（４１）が、携帯電話（２）のスピーカに面してその中心に位置されるように配置されていることを特徴とする請求項１３ないし１９のいずれか１の保護器具（１）。
【請求項２１】
前記ハウジング（７）には、携帯電話のマイクロフォンに面してその中心に配置された少なくとも１つの第１のオリフィス（３２）と、好ましくは、携帯電話（２）が前記ハウジング（７）に収容されたとき、携帯電話のスピーカに面してその中心に位置されるように配置された少なくとも１つの第２のオリフィス（３３）とが設けられていることを特徴とする請求項１３ないし２０のいずれか１の器具。
【発明の詳細な説明】
【技術分野】
【０００１】
本発明は、電磁波を少なくとも部分的に吸収する紡織繊維表層及び紡織繊維材料、並びに、紡織繊維表層又は紡織繊維材料を含む保護領域を有する、電磁波に対する保護器具に関する。
【背景技術】
【０００２】
携帯電話又は無線インターネット接続のような、無線通信手段の急成長にしたがって、電磁波及び電磁波に関連する健康リスクに関する関心が高まってきている。
【０００３】
実際、無線通信、特に、携帯電話により放射される電磁波は、マイクロ波の周波数範囲にある。この周波数範囲は、特に、水分子との相互作用をすることが知られており、水分子は、人体の７０％を構成している。それ故、ある科学的な研究では、これら電磁波が健康に直接影響を及ぼす可能性があることを示す傾向にあるとされている。
【０００４】
これらのリスクから保護するために、米国特許第６８５５８８３号公報に記載されているような、紡織繊維表層を使用することが知られている。このような紡織繊維表層は、電磁波の一部を吸収することが可能であり、それ故、保護器具を装備したとき、このような電磁波に晒されるのを制限することが可能である。
【０００５】
このような紡織繊維表層は、一般的には、金属の導電性の糸を一緒に織ることによって得られる。これら表層の吸収特性は、糸を構成している金属の導電性及び製織の密度に直接的に関連している。結果として、良い電磁波吸収特性を備えた紡織繊維表層は、高い製織密度の金、銀、又は銅のような、高導電性の金属の使用を必要とする。
【０００６】
このような紡織繊維表層は、比較的高価であり、広範囲にわたるこれらの使用を制限する。
【先行技術文献】
【特許文献】
【０００７】
【特許文献１】米国特許第６８５５８８３号公報
【発明の概要】
【０００８】
本発明は、この欠点を解決することを目的とする。
【０００９】
それ故、本発明の１つの目的は、生産コストがかなり低いながら、完全に低導電性の金属でできた紡織繊維表層と同様の電磁波吸収性を有する紡織繊維表層を提供することである。
【００１０】
この目的のために、本発明は、電磁波を少なくとも部分的に吸収する紡織繊維表層に関する。この紡織繊維表層は、少なくとも第１及び第２のタイプの、糸又は繊維のような、紡織繊維要素を含み、前記第１及び第２のタイプの前記紡織繊維要素は、導電特性を有し、前記第１のタイプの各紡織繊維要素は、第１の金属で覆われた合成材料のコアを含み、前記第２のタイプの前記紡織繊維要素は、第２の金属でできている。
【００１１】
このような紡織繊維表層は、完全に高導電性の金属の紡織繊維要素でできた紡織繊維表層と同様の吸収特性を得るために、高導電性の金属で覆われた合成材料のコアを有する第１のタイプの紡織繊維要素と、比較的高価でない金属でできた第２のタイプの紡織繊維要素とを使用することにより可能となり、一方、生産コストがかなり低くなる。実際、高導電性の金属は、合成材料のコア上にコーティングとして使用されることができ、第２のタイプの紡織繊維要素でできた金属との協働により、良い電磁波吸収特性を提供し、紡織繊維表層のコストを著しく増加させることがない。
【００１２】
効果的には、前記第１の金属は、銀である。
【００１３】
銀は、高い導電性を有する貴金属であり、それ故、紡織繊維表層に良い電磁波吸収性を与える。
【００１４】
好ましくは、前記第１のタイプの前記紡織繊維要素の前記コアは、ポリアミドタイプのポリマでできている。
【００１５】
このような材料は、強固で高価でない第１のタイプの紡織繊維要素のコアを提供することを可能にする。
【００１６】
好ましくは、前記第２の金属は、鋼又は合金鋼である。
【００１７】
鋼は、良い導電性と比較的低いコストとの両方を備えた第２のタイプの紡織繊維要素を提供することを可能にする。
【００１８】
効果的には、前記繊維表層は、ポリエステルのような、電気絶縁材料でできた、第３のタイプの紡織繊維要素をさらに含む。
【００１９】
紡織繊維要素のこのような第３のタイプは、紡織繊維表層の生産を容易にすることが可能であり、これら紡織繊維要素は、これらが金属の紡織繊維要素と組み合わされたとき、製織又は編成に関して必要な可撓性を有する糸を提供することを可能にする。
【００２０】
効果的には、この紡織繊維表層は、前記第３のタイプの少なくとも１つの紡織繊維要素を、前記第１のタイプ又は前記第２のタイプの少なくとも１つの紡織繊維要素と撚る、又は前記第１のタイプ又は前記第２のタイプの少なくとも１つの紡織繊維要素で覆うことによって得られた、ストランド又は糸を含む。
【００２１】
第１又は第２のタイプの要素を備えた第３のタイプの紡織繊維要素から、覆われたストランド又は糸を形成することにより、製織又は編成に関して必要な可撓性を有する糸又は繊維を提供することができる。
【００２２】
前記紡織繊維表層は、効果的には、製織によって得られる。
【００２３】
製織は、所定の厚さに対して、導電性の紡織繊維要素の最大の密度を有する紡織繊維表層を得ることを可能にする。
【００２４】
好ましくは、前記紡織繊維表層は、前記第１又は第２のタイプの紡織繊維要素を含む横糸を有し、前記紡織繊維表層は、前記第１のタイプ及び第２のタイプの前記紡織繊維要素の間に、異なるタイプの紡織繊維要素を含む縦糸を有する。
【００２５】
効果的には、前記紡織繊維表層は、それぞれ、前記横糸又は縦糸に関して、銀で覆われたポリアミドの糸により形成され、前記縦糸又は横糸に関して、ステンレス鋼／ポリエステルの糸により形成されている。
【００２６】
本発明はまた、本発明に係る紡織繊維表層でできた少なくとも２つの層を含む、電磁波を少なくとも部分的に吸収する紡織繊維材料に関する。
【００２７】
このような紡織繊維材料は、紡織繊維表層の少なくとも２つの層の吸収を組み合わせるので、高品質な電磁波の吸収を得ることを可能にする。
【００２８】
本発明はまた、携帯電話を収容するように設計されたハウジングと、ユーザの頭と携帯電話との間に挿入されるように設計された少なくとも１つの保護領域とを具備する、携帯電話を収容するように設計された、電磁波に対する保護器具に関する。前記保護領域は、本発明に係る紡織繊維表層、又は、本発明に係る紡織繊維材料を含む。
【００２９】
このような器具は、通話中、携帯電話によって放射される電磁波から人間自身を保護する。
【００３０】
効果的には、この器具は、前記保護領域を含むフラップを有し、前記フラップは、前記ハウジングに収容された携帯電話から離された位置となるように設計された開位置と、前記フラップが携帯電話の近くに位置されるように設計された閉位置との間で動かされることができる。
【００３１】
特に、フラップが閉位置にあるとき、フラップは携帯電話の正面に位置される。このようなフラップは、携帯電話の操作中、携帯電話へのアクセスを与え、また、通話中、携帯電話によって放射される電磁波に対する良い保護を与える。
【００３２】
１つの好ましい実施の形態では、前記フラップは、少なくとも、上で述べたような紡織繊維表層又は紡織繊維材料でできた、前記保護領域を形成している第１の層と、外面を形成している第２の層と、のスタックによりできており、前記第２の層は、少なくとも１つの第１のオリフィスを有し、前記少なくとも１つの第１のオリフィスは、前記フラップが前記閉位置にあるとき、各第１のオリフィスが携帯電話のマイクロフォンに面してその中心に位置されるように配置されている。
【００３３】
このような配置は、フラップが閉位置にあるとき、携帯電話のマイクロフォンによって拾われる音波の減衰が最小にされる審美的な器具を提供することを可能にするので、効果的である。
【００３４】
好ましくは、前記外面を形成している前記第２の層は、少なくとも１つの第２のオリフィスを有し、前記少なくとも１つの第２のオリフィスは、前記フラップが前記閉位置にあるとき、各第２のオリフィスが携帯電話のスピーカに面してその中心に位置されるように配置されている。
【００３５】
このような配置は、フラップが閉位置にあるとき、携帯電話のスピーカによって発生される音波の減衰が最小にされる審美的な器具を提供することを可能にするという点で、効果的である。
【００３６】
例えば、前記第２の層は、革又はプラスチックでできている。
【００３７】
１つの態様によれば、前記スタックはまた、内面を形成している第３の層を有し、この第３の層は、少なくとも１つの第１のオリフィスと、好ましくは、少なくとも１つの第２のオリフィスとを有し、これらオリフィスは、前記フラップが前記閉位置にあるとき、各第１のオリフィスが、携帯電話のマイクロフォンに面してその中心に位置され、かつ、各第２のオリフィスが、携帯電話のスピーカに面してその中心に位置されるように配置されている。
【００３８】
例えば、前記第３の層は、スエードクロスでできている。
【００３９】
他の特徴部分によれば、前記スタックはまた、前記第２の層と前記第３の層との間に位置された、第４の、補強層を有し、この第４の層は、少なくとも１つの第１のオリフィスと、好ましくは、少なくとも１つの第２のオリフィスとを有し、これらオリフィスは、前記フラップが前記閉位置にあるとき、各第１のオリフィスが、携帯電話のマイクロフォンに面してその中心に位置され、各第２のオリフィスが、携帯電話のスピーカに面してその中心に位置されるように配置されている。
【００４０】
例えば、第４の層は、プレキシガラスでできている。
【００４１】
他の特徴部分によれば、前記スタックはまた、ボール紙でできた第５の層を有し、この第５の層は、少なくとも１つの第１のオリフィスと、好ましくは、少なくとも１つの第２のオリフィスとを有し、これらオリフィスは、前記フラップが前記閉位置にあるとき、各第１のオリフィスが、携帯電話のマイクロフォンに面してその中心に位置され、かつ、各第２のオリフィスが、携帯電話のスピーカに面してその中心に位置されるように配置されている。
【００４２】
効果的には、前記ハウジングには、携帯電話のマイクロフォンに面してその中心に配置された少なくとも１つの第１のオリフィスと、好ましくは、携帯電話が前記ハウジングに収容されたとき、携帯電話のスピーカに面してその中心に位置されるように配置された少なくとも１つの第２のオリフィスとが設けられている。
【００４３】
最後に、本発明は、上述のような携帯電話及び器具を有することを特徴とするアセンブリに関する。
【００４４】
いかなる場合においても、本発明は、この紡織繊維表層及びこの紡織繊維材料の３つの実施の形態、及び電磁波に対するこの保護器具の２つの実施の形態の、非限定的な例として示される添付の概略的な図面を参照して与えられる以下の記載を使用して十分に理解される。
【図面の簡単な説明】
【００４５】
【図１】図１は、携帯電話の電磁波に対する保護器具の第１の実施の形態の概略的な斜視図である。
【図２】図２は、紡織繊維表層を有する部分の装飾が取り除かれた、携帯電話を含まない保護器具の概略的な斜視図である。
【図３】図３は、フラップの横断面図である。
【図４】図４は、紡織繊維表層を有する部分の装飾が取り除かれた、携帯電話を含まない、電磁波に対する保護器具の第２の実施の形態の斜視図である。
【図５】図５は、電磁波に対する保護器具の第３の実施の形態の斜視図である。
【図６】図６は、図５の保護器具の第１の上面図である。
【図７】図７は、図５の保護器具の第２の上面図である。
【図８】図８は、図５の保護器具のフラップの斜視図である。
【発明を実施するための形態】
【００４６】
さまざまな実施の形態に対して、記載を簡略にするために、同一の構成要素又は同じ機能を果す構成要素に同じ参照符号が使用される。
【００４７】
図１は、電磁波に対する保護器具１の第１の実施の形態を示す図であり、保護器具１は、携帯電話２を収容するケースの形態をとっている。
【００４８】
保護器具１は、携帯電話２を収容する機能を果す第１の部分３と、フラップ５、即ちカバーの形態をとっている第２の部分とを有する。
【００４９】
第１の部分３は、収容される携帯電話２の表層の寸法と同じ寸法の支持面６を有し、この支持面６は、支持面６に電話を維持するための手段を有する。図１では、維持手段は、携帯電話２の下側部分８を保持しているクレードル７の形態をとっているが、これら手段は、支持面６の下側部分及び上側部分にある弾性バンドのような、他の形態をとってもよい。
【００５０】
支持面６及び維持手段は、携帯電話で使用される周波数範囲の電磁波を透過する材料でできている。
【００５１】
保護器具１のフラップ５は、支持面６と同様の材料でできたストリップ９を使用して第１の部分３に取着されている。このようにして、フラップ５は、携帯電話２の制御部へのアクセスを与える開位置と、フラップ５が携帯電話２の正面１０を覆っている閉位置との間で動かされることができ、フラップ５は、通話中、ユーザの頭と携帯電話２との間に挿入される。
【００５２】
フラップ５は、携帯電話２の表層の寸法と同様の寸法を有する。
【００５３】
フラップ５は、図２並びに図３に示されるように、革、紡織繊維又は合成材料の表層のような、２つの装飾表層１１の間に封入された紡織繊維層を含む。美的結合の観点から出て、装飾表層１１は、支持面６と同様のタイプであることができる。
【００５４】
紡織繊維層は、電磁波を吸収するのに適した、少なくとも２つの紡織繊維表層を含む紡織繊維表層（図示されない）、又は紡織繊維材料１２であることができる。紡織繊維層は、電磁波に対して保護領域１３を形成している。
【００５５】
紡織繊維表層の第１の実施の形態によれば、紡織繊維表層は、横糸１４と縦糸１５とを含む織物である。
【００５６】
縦糸１５は、ポリアミドタイプのポリマででき、銀で覆われたコア（図示されない）により形成されている。
【００５７】
横糸１４は、鋼の糸（図示されない）をポリエステルの糸（図示されない）と撚ることによってできたストランド（図示されない）でできている。
【００５８】
この実施の形態によれば、銀で覆われたポリアミドの糸５４％、ステンレス鋼の糸２３％及びポリエステルの糸２３％の組成に関して、２つの並置された紡織繊維表層を含む繊維材料１１は、  
９００ＭＨｚの周波数に対して４７．４ｄＢ、  
１８００ＭＨｚの周波数に対して５０．４ｄＢ、  
２１００ＭＨｚの周波数に対して５４．８ｄＢ、  
のＧＡＭ−Ｔ２０：１９９２法を使用して測定された電磁波の減衰を有する。
【００５９】
紡織繊維表層の他の形態によれば、紡織繊維表層は、縦糸１５が、鋼の糸をポリエステルの糸と撚ることによってできたストランドであり、横糸１４が、ポリアミドタイプのポリマででき、銀で覆われたコアによって形成されているという点で、前の実施の形態と異なっている。
【００６０】
この実施の形態によれば、銀で覆われたポリアミドの糸３２％、ステンレス鋼の糸３３％及びポリエステルの糸３５％の組成に関して、２つの並置された紡織繊維表層を含む繊維材料１１は、  
９００ＭＨｚの周波数に対して４７．８ｄＢ、  
１８００ＭＨｚの周波数に対して５１．４ｄＢ、  
２１００ＭＨｚの周波数に対して５５．４ｄＢ、  
のＧＡＭ−Ｔ２０：１９９２法を使用して測定された電磁波の減衰を有する。
【００６１】
紡織繊維表層の他の形態によれば、紡織繊維表層は、縦糸１５が、ポリアミドタイプのポリマででき、銀で覆われたコアによって形成されており、横糸１４が、鋼の糸をポリエステルの糸と撚ることによってできたストランド６０％と、ポリアミドタイプのポリマででき、銀で覆われたコアによって形成された糸４０％とによって形成されているという点で、前の実施の形態と異なる。
【００６２】
この実施の形態によれば、銀で覆われたポリアミドの糸７５％、ステンレス鋼の糸１４％及びポリエステルの糸１４％の組成に関して、２つの並置された紡織繊維表層を含む繊維材料１２は、  
９００ＭＨｚの周波数に対して４８ｄＢ、  
１８００ＭＨｚの周波数に対して５１ｄＢ、  
２１００ＭＨｚの周波数に対して５５ｄＢ、  
のＧＡＭ−Ｔ２０：１９９２法を使用して測定された電磁波の減衰を有する。
【００６３】
紡織繊維表層はまた、不織布表層を編成している又は形成しているような、他の製織の製造方法を使用して形成された紡織繊維表層であることができる。
【００６４】
保護器具１の使用中、携帯電話２は、維持手段に位置されている。かくして、ユーザは、フラップ５を携帯電話２から離して位置させることによって携帯電話２の制御部にアクセスすることができる。また、ユーザは、フラップ５が携帯電話２の正面１０に保持されているとき、携帯電話２によって放射される電磁波から保護される。
【００６５】
図４は、保護器具１の第２の実施の形態を示す図である。このような保護器具１は、フラップ５のエッジに側方壁１６を有するという点で、第１の実施の形態に係る保護器具１と異なる。前記側方壁は、通話中、電磁波に対する保護を完全にするように、紡織繊維層を有する。
【００６６】
この保護器具１は、ユーザにとって最適な保護を確実にすることを可能にし、携帯電話２の正面１０が、フラップ５及び側方壁１６によって封入され、支持面６を介して、最も近いＧＳＭ（登録商標）ターミナルと無線通信する。
【００６７】
紡織繊維表層、及びこのような紡織繊維表層を含む紡織繊維材料１２は、上述の保護器具１以外のアプリケーションに使用されることができる。これらは、妊娠中の女性、電磁波の影響を受けやすい人、又はペースメーカを付けた人用の衣服のような、電磁波に対する他の保護システムに使用されることができる。
【００６８】
紡織繊維表層、及びこのような紡織繊維表層を含む紡織繊維材料もまた、無線通信ネットワークに関する位置を絶縁するような、電磁波遮断器具のような、電磁波に対して絶縁を必要とするアプリケーションに対して使用されることができる。
【００６９】
図５ないし図８は、保護器具１の第３の実施の形態を示す図である。
【００７０】
この第３の実施の形態は、クレードル７が支持面６の周縁全体にわたって延びていることを除いて、第１の実施の形態と同様である。
【００７１】
クレードル７は、携帯電話２のバッテリを充電するために、（図５に図示される）電力ポート３１へのアクセスを与えるように構成されている。
【００７２】
クレードル７は、携帯電話がクレードル７に収容されたとき、携帯電話２のマイクロフォンに面してその中心に位置されるように配置されたオリフィス３２を有する。
【００７３】
クレードル７は、携帯電話がクレードル７に収容されたとき、携帯電話２のスピーカに面してその中心に位置されるように配置されたオリフィス３３を有する。
【００７４】
フラップ５は、  
例えば、革又はプラスチックでできた、外面を形成している層３５と、  
例えば、プレキシガラス（登録商標）でできた、補強層３６と、  
紡織繊維表層、又は、上述のような少なくとも２つの紡織繊維表層を含む紡織繊維材料１２でできた、保護領域を形成している層３７と、  
例えば、ボール紙でできた、層３８と、  
例えば、スエードクロスでできた、内面を形成している層３９と、  
を連続的に積み重ねる（スタックする）ことによってできている。
【００７５】
これら層３５、３６、３８、３９の各々は、フラップ５が閉位置にあるとき、オリフィス４０が携帯電話のマイクロフォンに面してその中心に位置されるように配置されている。
【００７６】
オリフィス４０は、フラップ５が閉位置にあるとき、携帯電話のマイクロフォンによって拾われる音波の減衰を制限することを可能にする。
【００７７】
さらに、これら層３５、３６、３８、３９の各々は、フラップ５が閉位置にあるとき、各オリフィス４１が携帯電話のスピーカに面してその中心に位置されるように配置されている。
【００７８】
オリフィス４１は、フラップ５が閉位置にあるとき、携帯電話のスピーカによって発生される音波の減衰を制限することを可能にする。
【００７９】
層３７には、電磁波がカバーを通って通過するのを防ぐように、かつ、使用状態の間、ユーザを保護するように、オリフィス４０、４１が設けられていない。
【００８０】
本発明は、もちろん、全ての実施の形態を包含しており、例として上に説明された電磁波を吸収する紡織繊維表層及び紡織繊維材料、保護器具の実施の形態に限定されるものではない。使用される金属は、特に、銀、鋼以外の金属であることができる。
【図１】
2014501044.tif 000003
【図２】
2014501044.tif 000004
【図３】
2014501044.tif 000005
【図４】
2014501044.tif 000006
【図５】
2014501044.tif 000007
【図６】
2014501044.tif 000008
【図７】
2014501044.tif 000009
【図８】
2014501044.tif 000010
【国際調査報告】
2014501044.tif 000011
2014501044.tif 000012
2014501044.tif 000013
2014501044.tif 000014
2014501044.tif 000015
2014501044.tif 000016